(57)【要約】【課題】自動利得制御音声のユーザ体感品質を短時間かつ簡便に推定する。【解決手段】客観品質評価装置は、自動利得制御装置１００が入力音声信号を収束させようとする目標信号レベルを測定する信号レベル測定部３−１と、自動利得制御前の入力音声信号の平均信号レベルを測定する信号レベル測定部３−２と、目標信号レベルと入力音声信号の平均信号レベルとのレベル比を算出するレベル比算出部６と、自動利得制御音声の信号レベルが目標信号レベルに収束するまでの収束時間を測定する収束時間測定部７と、レベル比および収束時間と主観品質評価値との関係式に基づき自動利得制御音声の主観品質評価値を推定する品質測定部８とを備える。【選択図】  図１
2009124634.tif 000002
【特許請求の範囲】
【請求項１】
自動利得制御（ＡＧＣ）装置によって信号レベルが調節された自動利得制御音声のユーザ体感品質を客観的に推定する客観品質推定装置であって、
自動利得制御装置に音声信号を入力したときに、出力される自動利得制御音声が持つ品質要因の特徴量を測定する測定手段と、
前記品質要因の特徴量から主観品質の推定値を算出する式を用いて、前記測定手段により測定された特徴量から前記自動利得制御音声の主観品質評価値を推定する品質推定手段とを備えることを特徴とする客観品質評価装置。
【請求項２】
請求項１記載の客観品質評価装置において、
前記自動利得制御音声の品質要因の特徴量は、前記自動利得制御装置が入力音声信号を収束させようとする目標信号レベルと自動利得制御前の前記入力音声信号の平均信号レベルとのレベル比、および前記自動利得制御音声の信号レベルが前記目標信号レベルに収束するまでの収束時間であることを特徴とする客観品質評価装置。
【請求項３】
請求項２記載の客観品質評価装置において、
前記測定手段は、
前記目標信号レベルを測定する目標信号レベル測定手段と、
前記自動利得制御前の入力音声信号の平均信号レベルを測定する平均信号レベル測定手段と、
前記目標信号レベル測定手段と前記平均信号レベル測定手段の測定結果から前記レベル比を算出するレベル比算出手段と、
前記自動利得制御音声の信号レベルが前記目標信号レベルに収束するまでの収束時間を測定する収束時間測定手段とからなることを特徴とする客観品質評価装置。
【請求項４】
請求項３記載の客観品質評価装置において、
前記目標信号レベル測定手段は、あらかじめ準備された音声信号が前記自動利得制御装置の入力として与えられたときに、この自動利得制御装置から出力される音声信号の最後の一定区間の平均音声信号レベルを前記目標信号レベルとすることを特徴とする客観品質評価装置。
【請求項５】
請求項１記載の客観品質評価装置において、
前記主観品質の推定値を算出する式は、各品質要因に対して所望の特徴量を持つ自動利得制御音声の主観品質評価値を測定し、この主観品質評価値を用いて自動利得制御音声が持つ品質要因の特徴量と主観品質評価値との関係を定式化することにより予め導出されることを特徴とする客観品質評価装置。
【請求項６】
請求項５記載の客観品質評価装置において、
各品質要因に対して所望の特徴量を持つ自動利得制御音声は、音声を受聴したときに被験者が最も適正な大きさであると感じる音声信号レベルに収束し、かつ所望の品質要因の特徴量を持つ自動利得制御音声であることを特徴とする客観品質評価装置。
【請求項７】
自動利得制御（ＡＧＣ）装置によって信号レベルが調節された自動利得制御音声のユーザ体感品質を客観的に推定する客観品質推定方法であって、
自動利得制御装置に音声信号を入力したときに、出力される自動利得制御音声が持つ品質要因の特徴量を測定する測定手順と、
前記品質要因の特徴量から主観品質の推定値を算出する式を用いて、前記測定手順により測定された特徴量から前記自動利得制御音声の主観品質評価値を推定する品質推定手順とを備えることを特徴とする客観品質評価方法。
【請求項８】
請求項７記載の客観品質評価方法において、
前記自動利得制御音声の品質要因の特徴量は、前記自動利得制御装置が入力音声信号を収束させようとする目標信号レベルと自動利得制御前の前記入力音声信号の平均信号レベルとのレベル比、および前記自動利得制御音声の信号レベルが前記目標信号レベルに収束するまでの収束時間であることを特徴とする客観品質評価方法。
【請求項９】
請求項８記載の客観品質評価方法において、
前記測定手順は、
前記目標信号レベルを測定する目標信号レベル測定手順と、
前記自動利得制御前の入力音声信号の平均信号レベルを測定する平均信号レベル測定手順と、
前記目標信号レベル測定手順と前記平均信号レベル測定手順の測定結果から前記レベル比を算出するレベル比算出手順と、
前記自動利得制御音声の信号レベルが前記目標信号レベルに収束するまでの収束時間を測定する収束時間測定手順とからなることを特徴とする客観品質評価方法。
【請求項１０】
請求項９記載の客観品質評価方法において、
前記目標信号レベル測定手順は、あらかじめ準備された音声信号が前記自動利得制御装置の入力として与えられたときに、この自動利得制御装置から出力される音声信号の最後の一定区間の平均音声信号レベルを前記目標信号レベルとすることを特徴とする客観品質評価方法。
【請求項１１】
請求項７記載の客観品質評価方法において、
前記主観品質の推定値を算出する式は、
各品質要因に対して所望の特徴量を持つ自動利得制御音声を作成する作成手順と、
前記作成手順により作成された自動利得制御音声の主観品質評価値を測定する測定手順と、
前記測定手順により測定された主観品質評価値を用いて自動利得制御音声が持つ品質要因の特徴量と主観品質評価値との関係を定式化する定式化手順とにより、予め導出されることを特徴とする客観品質評価方法。
【請求項１２】
請求項１１記載の客観品質評価方法において、
各品質要因に対して所望の特徴量を持つ自動利得制御音声は、音声を受聴したときに被験者が最も適正な大きさであると感じる音声信号レベルに収束し、かつ所望の品質要因の特徴量を持つ自動利得制御音声であることを特徴とする客観品質評価方法。
【発明の詳細な説明】
【技術分野】
【０００１】
本発明は、自動利得制御技術を利用する音声通信サービスの音声品質評価技術に関わるものであり、特に複数人が１つの収音装置を同時に共有する通信環境でのユーザ体感品質を測定する技術に関するものである。
【背景技術】
【０００２】
テレビ会議のように複数の人が１つのマイクを同時に共有する環境では、各話者の着座位置の違いによりマイクの収音音声の信号レベルが話者ごとに大きく異なる。一般的に、このような環境では自動利得制御（ＡＧＣ：Automatic Gain Control）装置が利用され、これにより受聴側は相手側の発話音声をほぼ一定のレベルで受聴することができる。このように、テレビ会議のような音声通信サービスにおいて自動利得制御装置は重要な役割を果たすことから、高品質サービスを提供するためには自動利得制御装置の出力である自動利得制御音声を受聴したときのユーザの体感品質を知る必要がある。そのため、自動利得制御音声のユーザ体感品質を測定する品質評価法が必要である。
【０００３】
音声品質評価の基本は、実際に音声受聴や会話を行う心理評価に基づく主観品質評価である。主観品質評価は、ユーザが実感する品質を直接的に評値することができる反面、十分な数の被験者や専用の設備が必要となり、多大なコスト・時間を要するなど簡便ではない。そこで、人による主観品質評価の代わりに、音声信号の物理量に基づいて効率的に主観品質を推定する技術が望まれる。このような技術を客観品質評価と呼ぶ（例えば非特許文献１参照）。
【０００４】
【非特許文献１】ITU-T Recommendation P.862，「Perceptual evaluation of speech quality(PESQ),an obective method for end-to-end speech quality assessment of narrow-band telephone networks and speech codecs」，Feb.2001
【発明の開示】
【発明が解決しようとする課題】
【０００５】
しかしながら、現在、自動利得制御音声に対する適切な客観品質評価方法は存在しないため、自動利得制御音声のユーザ体感品質を短時間かつ簡便に推定することはできない。
【０００６】
本発明は、上記課題を解決するためになされたもので、自動利得制御音声のユーザ体感品質を短時間かつ簡便に推定することができる客観品質評価装置および方法を提供することを目的とする。
【課題を解決するための手段】
【０００７】
本発明は、自動利得制御（ＡＧＣ）装置によって信号レベルが調節された自動利得制御音声のユーザ体感品質を客観的に推定する客観品質推定装置であって、自動利得制御装置に音声信号を入力したときに、出力される自動利得制御音声が持つ品質要因の特徴量を測定する測定手段と、前記品質要因の特徴量から主観品質の推定値を算出する式を用いて、前記測定手段により測定された特徴量から前記自動利得制御音声の主観品質評価値を推定する品質推定手段とを備えるものである。
また、本発明の客観品質評価装置の１構成例において、前記自動利得制御音声の品質要因の特徴量は、前記自動利得制御装置が入力音声信号を収束させようとする目標信号レベルと自動利得制御前の前記入力音声信号の平均信号レベルとのレベル比、および前記自動利得制御音声の信号レベルが前記目標信号レベルに収束するまでの収束時間である。
また、本発明の客観品質評価装置の１構成例において、前記測定手段は、前記目標信号レベルを測定する目標信号レベル測定手段と、前記自動利得制御前の入力音声信号の平均信号レベルを測定する平均信号レベル測定手段と、前記目標信号レベル測定手段と前記平均信号レベル測定手段の測定結果から前記レベル比を算出するレベル比算出手段と、前記自動利得制御音声の信号レベルが前記目標信号レベルに収束するまでの収束時間を測定する収束時間測定手段とからなるものである。
また、本発明の客観品質評価装置の１構成例において、前記目標信号レベル測定手段は、あらかじめ準備された音声信号が前記自動利得制御装置の入力として与えられたときに、この自動利得制御装置から出力される音声信号の最後の一定区間の平均音声信号レベルを前記目標信号レベルとするものである。
また、本発明の客観品質評価装置の１構成例において、前記主観品質の推定値を算出する式は、各品質要因に対して所望の特徴量を持つ自動利得制御音声の主観品質評価値を測定し、この主観品質評価値を用いて自動利得制御音声が持つ品質要因の特徴量と主観品質評価値との関係を定式化することにより予め導出されるものである。
また、本発明の客観品質評価装置の１構成例において、各品質要因に対して所望の特徴量を持つ自動利得制御音声は、音声を受聴したときに被験者が最も適正な大きさであると感じる音声信号レベルに収束し、かつ所望の品質要因の特徴量を持つ自動利得制御音声である。
【０００８】
また、本発明の客観品質評価方法は、自動利得制御装置に音声信号を入力したときに、出力される自動利得制御音声が持つ品質要因の特徴量を測定する測定手順と、前記品質要因の特徴量から主観品質の推定値を算出する式を用いて、前記測定手順により測定された特徴量から前記自動利得制御音声の主観品質評価値を推定する品質推定手順とを備えるものである。
【発明の効果】
【０００９】
本発明によれば、自動利得制御装置の出力である自動利得制御音声のユーザ体感品質を短時間で効率良く推定することが可能となる。また、２つの品質要因（入力音声信号の信号レベルと目標信号レベルとのレベル比、自動利得制御音声の信号レベルが目標信号レベルに収束するまでの収束時間）とユーザ体感品質との関係を知ることで、自動利得制御技術開発における性能の目標設定が容易となる。
【発明を実施するための最良の形態】
【００１０】
［発明の原理］
上記課題を解決するために、自動利得制御音声が持つ品質要因の特徴量を測定し、測定した特徴量から自動利得制御音声のユーザ体感品質を推定する方法を考える。
自動利得制御装置への入力音声信号の信号レベルが目標信号レベルと異なるとき、自動利得制御装置は入力音声の信号レベルが目標信号レベルに近づくようにレベルを調節するが、自動利得制御装置が入力音声信号を目標信号レベルに収束させるまでには一定の時間を要する。そのために、出力される自動利得制御音声には一定時間のレベル変動区間が存在し、このレベル変動区間がユーザ体感品質に影響を与える。
【００１１】
そこで、このレベル変動区間を、入力音声信号の信号レベルと目標信号レベルとのレベル比、および自動利得制御音声の信号レベルが目標信号レベルに収束するまでの時間により表現し、このレベルと収束時間の２つを自動利得制御音声が持つ品質要因として選定する。そして、これらの品質要因の特徴量から主観品質評価値を推定する式を用いることにより、自動利得制御音声の品質推定を行う。これにより、自動利得制御装置に音声信号が入力されたときに、自動利得制御装置が出力する自動利得制御音声のユーザ体感品質を短時間かつ簡便に推定することができる。また、様々な信号レベルを持つ入力音声を与え、それぞれに対して自動利得制御装置が出力する音声の品質推定を行うことにより、入力音声の信号レベルに応じた自動利得制御装置の出力音声のユーザ体感品質推定が可能となる。なお、音声信号レベルは一般的にデシベル表記の値で表現される。以下では、２つの信号のレベル比は２つの信号レベルのデシベル表記の値を差分した値のことを指し、算出されるレベル比もデシベル表記で表す。
【００１２】
主観品質評価値を推定する式の導出は、自動利得制御装置の入力音声信号の信号レベルと目標信号レベルとのレベル比および自動利得制御音声の信号レベルが目標信号レベルに収束するまでの時間と主観品質評価値との関係を表すデータを用いて行われる。例えば、レベル比をＧ［ｄＢ］、収束時間をＴ［ｓ］とし、自動利得制御音声に対する主観品質評価値（ＭＯＳ値）をＱとする。そして、ＧとＴを説明変数、Ｑを目的変数とした重回帰分析により、レベル比Ｇ、収束時間Ｔから主観品質評価値を推定する式を導出する。
【００１３】
この式の導出に必要なデータを取得するために、以下の主観品質評価実験を実施する。始めに、受聴実験により被験者が最も適正な大きさであると感じる音声信号レベルを測定する。次に、測定した適正音声レベルに収束し、かつ所望のレベル比および収束時間を持つ自動利得制御音声を作成する。ただし、被験者によって適正であると感じる音声レベルの大きさが異なるため、所望のレベル比および収束時間を持つ自動利得制御音声を被験者ごとに作成する必要がある。最後に、作成した自動利得制御音声の主観品質評価値を受聴実験により測定し、全被験者の主観品質評価値の平均値を求めることで必要なデータを取得することができる。
【００１４】
［第１の実施の形態］
以下、本発明の第１の実施の形態について図面を用いて説明する。図１は本発明の第１の実施の形態に係る客観品質評価装置の構成を示すブロック図である。
客観品質評価装置１は、音声データベース２と、信号レベル測定部３−１，３−２，３−３と、マイク４と、音声録音部５と、レベル比算出部６と、収束時間測定部７と、品質測定部８と、スイッチ９，１０とを備えている。信号レベル測定部３−１，３−２，３−３とレベル比算出部６と収束時間測定部７とは測定手段を構成し、品質測定部８は品質推定手段を構成している。
【００１５】
図２は図１の客観品質評価装置１の動作を示すフローチャートである。まず、初期状態においては、スイッチ９は音声データベース２の出力を選択し、スイッチ１０は信号レベル測定部３−１の入力を選択している。
音声データベース２には、ｌ秒長の音声信号が記憶されている。音声データベース２は、このｌ秒長の音声信号Ａをスイッチ９を介して自動利得制御装置１００へ出力する。
【００１６】
自動利得制御装置１００は、入力音声信号Ａの信号レベルが目標信号レベルに近づくようにレベルを調節し、調節後の自動利得制御音声信号Ａ’を出力する。自動利得制御音声信号Ａ’は、スイッチ１０を介して信号レベル測定部３−１に入力される。ここではｌ＝２０［秒］とするが、この値に限定されるものではない。
【００１７】
目標信号レベル測定手段である信号レベル測定部３−１は、自動利得制御装置１００が入力音声信号Ａを収束させようとする目標信号レベルを測定する（図２ステップＳ１）。しかし、自動利得制御装置１００が入力音声信号Ａの信号レベルを目標信号レベルヘ収束させるまでには一定の時間を要する。そこで、信号レベル測定部３−１は、自動利得制御装置１００から出力される自動利得制御音声信号Ａ’の最後の一定区間の平均音声信号レベルを自動利得制御装置１００の目標信号レベルとする。
【００１８】
具体的には、信号レベル測定部３−１は、自動利得制御音声信号Ａ’の開始時刻のｌ−ｍ1秒後からｌ秒後までの平均信号レベル［ｄＢｏｖ］を測定し、得られた値を自動利得制御装置１００の目標信号レベルＸとしてレベル比算出部６および収束時間測定部７へ通知する。ここではｍ1＝５［秒］とするが、この値に限定されるものではない。ｄＢｏｖはデジタル信号のレベルの大きさを表す単位であり、音声信号をデジタル化したときにオーバーロードが生じる最初の信号レベルを０ｄＢｏｖとし、この０ｄＢｏｖの音声信号とのレベルの相対比をデジベルで表現したものである。
【００１９】
音声録音部５は、マイク４が収音する発話音声を録音する。この録音は、マイク４が発話音声の収音を始めてからｎ秒間行われる。音声録音部５は、録音したｎ秒長の音声信号Ｂを信号レベル測定部３−２へ出力する。また、音声録音部５は、スイッチ９を音声録音部５の出力を選択する側に切り換えると共に、スイッチ１０を信号レベル測定部３−３の入力を選択する側に切り換え、録音したｎ秒長の音声信号Ｂをスイッチ９を介して自動利得制御装置１００へ出力する。このときに自動利得制御装置１００から出力される自動利得制御音声信号Ｂ’は、スイッチ１０を介して信号レベル測定部３−３に入力される。ここではｎ＝２０［秒］とするが、この値に限定されるものではない。
【００２０】
平均信号レベル測定手段である信号レベル測定部３−２は、入力音声信号Ｂの信号レベルを測定する（ステップＳ２）。具体的には、信号レベル測定部３−２は、入力音声信号Ｂの平均信号レベル［ｄＢｏｖ］を測定し、得られた値を入力信号レベルＹとしてレベル比算出部６へ通知する。
レベル比算出部６は、入力信号レベルＹと目標信号レベルＸとのレベル比を算出する（ステップＳ３）。具体的には、レベル比算出部６は、目標信号レベルＸと入力信号レベルＹとの差Ｘ−Ｙを算出し、算出した値をレベル比Ｇとして品質測定部８へ通知する。
【００２１】
信号レベル測定部３−３は、自動利得制御音声信号Ｂ’の信号レベルを一定時間毎に測定することにより、各時間における自動利得制御音声信号Ｂ’の信号レベルを測定する。具体的には、信号レベル測定部３−３は、自動利得制御音声信号Ｂ’の入力開始時刻のｔ秒後から（ｔ＋ｍ2）秒後（ｔ＝０，ｉ，２ｉ，・・・・、ただしｔ＜（ｎ−ｍ2））までの区間における自動利得制御音声信号Ｂ’の平均信号レベルを測定し、得られた値を時間ｔにおける出力信号レベルＺtとして収束時間測定部７へ通知する。信号レベル測定部３−３は、このような平均信号レベル測定を各時間ｔについて行う。ここではｍ2＝３［秒］、ｉ＝０．５［秒］とするが、この値に限定されるものではない。
【００２２】
収束時間測定部７は、自動利得制御音声信号Ｂ’の信号レベルが目標信号レベルＸに収束するまでの時間を測定する（ステップＳ４）。具体的には、収束時間測定部７は、入力された目標信号レベルＸおよび出力信号レベルＺtが、Ｘ−ｊ＜Ｚt＜Ｘ＋ｊの収束条件を満たすとき自動利得制御音声信号Ｂ’の信号レベルは時間ｔにおいて目標信号レベルに収束したと判断する。そして、収束時間測定部７は、この収束条件を満たすｔの中で最小の値を収束時間Ｔとして品質測定部８へ通知する。ここではｊ＝２［ｄＢｏｖ］とするが、この値に限定されるものではない。また、収束時間測定部７は、前記収束条件を満たす出力信号レベルＺtが存在しない場合には、収束時間測定にエラーが発生したことを品質測定部８へ通知する。
【００２３】
品質測定部８は、レベル比Ｇおよび収束時間Ｔと主観品質評価値との関係式に基づき自動利得制御音声信号Ｂ’の主観品質評価値を推定し（ステップＳ５）、この主観品質評価値を客観品質評価装置１の出力値として出力処理（例えば表示）を行う（ステップＳ６）。また、品質測定部８は、収束時間測定部７からエラー通知があった場合は、主観品質評価値の推定不可を示すエラー出力処理（例えばエラー表示）を行う。
レベル比Ｇおよび収束時間Ｔからユーザ体感品質を推定する式は、以下に示す方法により予め導出され、品質測定部８に設定される。
【００２４】
始めに、平均音声信号レベルがＳ［ｄＢｏｖ］である音声信号に対して、ｒ［ｄＢ］（ｒ＝−５ｋ，−４ｋ，・・・・，０，・・・・，４ｋ，５ｋ）だけレベルを調節した音声信号をそれぞれ作成する。被験者は、各音声信号を受聴し絶対範疇尺度法による評価を行う。そして、得られた主観品質評価値が最も高かった音声信号レベルＳr［ｄＢｏｖ］を、その被験者が適正な大きさと感じる音声信号レベルとする。ここではＳ＝−２６［ｄＢｏｖ］、ｋ＝２［ｄＢ］とするが、この値に限定されるものではない。
【００２５】
次に、平均音声信号レベルがＳr−Ｇ［ｄＢｏｖ］である音声信号に対してレベル調節を行い、Ｔ秒後に信号レベルが適正音声信号レベルＳrに収束するように線形的にレベル調節量を変動させることにより、レベル比がＧで収束時間がＴである自動利得制御音声信号を作成する。被験者は、この自動利得制御音声信号を受聴し絶対範疇尺度法による評価を行う。自動利得制御音声信号のレベル比Ｇや収束時間Ｔを変更しながら同様の評価を実施することにより、様々なレベル比Ｇおよび収束時間Ｔを持つ自動利得制御音声信号に対する被験者の主観品質評価値を得ることができる。この被験者の場合と同じ様々な自動利得制御音声信号に対して他の複数の被験者が同様の評価を実施することにより、複数の被験者の主観品質評価値を得ることができる。なお、このときの自動利得制御音声信号の適正音声信号レベルＳrは、被験者毎に異なるので、先に述べた方法により予め適正音声信号レベルＳrを求めておくことは言うまでもない。
【００２６】
そして、レベル比Ｇが同じで且つ収束時間Ｔも同じ同種の自動利得制御音声信号毎に複数の被験者の主観品質評価値の平均値であるＭＯＳ値を求めることにより、レベル比Ｇおよび収束時間ＴとＭＯＳ値との関係を求めることができる。最後に、レベル比Ｇと収束時間Ｔを説明変数、ＭＯＳ値を目的変数とした重回帰分析により、レベル比Ｇおよび収束時間Ｔから主観品質評価値を算出する式を導出する。
品質測定部８に予め設定されている式はこのようにして導出された式であり、品質測定部８は、この式を用いてレベル比Ｇおよび収束時間Ｔから自動利得制御音声信号Ｂ’の主観品質評価値を算出する。
【００２７】
以上に説明した実施の形態を用いることにより、実際の通話環境で生じる自動利得制御音声を適切に再現することができ、さらにその自動利得制御音声に対するユーザの体感品質を短時間で推定することができる。
【００２８】
［第２の実施の形態］
以下、本発明の第２の実施の形態について図面を用いて説明する。図３は本発明の第２の実施の形態に係る客観品質評価装置の構成を示すブロック図であり、図１と同一の構成には同一の符号を付してある。
客観品質評価装置１１は、音声データベース２と、信号レベル測定部３−１，３−２と、収束時間測定部７と、品質測定部８と、スイッチ１０，１２と、レベル調節部１３とを備えている。
【００２９】
本実施の形態では、自動利得制御装置１００への入力音声信号の信号レベルと目標信号レベルとのレベル比を所望の値Ｇ［ｄＢ］に設定し、このレベル比Ｇの値を客観品質評価装置１１の入力として与える。このレベル比Ｇは、品質測定部８およびレベル調節部１３へ送信される。本実施の形態においても、処理の流れは図２のステップＳ２，Ｓ３の処理が無い以外は第１の実施の形態と同じである。
【００３０】
初期状態においては、スイッチ１２は音声データベース２の出力を選択し、スイッチ１０は信号レベル測定部３−１の入力を選択している。
音声データベース２には、ｌ秒長かつ平均音声信号レベルがＷ［ｄＢｏｖ］である音声信号が記憶されている。音声データベース２は、このｌ秒長かつ平均音声信号レベルがＷ［ｄＢｏｖ］の音声信号Ａをスイッチ１２を介して自動利得制御装置１００へ出力する。
【００３１】
自動利得制御装置１００は、入力音声信号Ａの信号レベルが目標信号レベルに近づくようにレベルを調節し、調節後の自動利得制御音声信号Ａ’を出力する。自動利得制御音声信号Ａ’は、スイッチ１０を介して信号レベル測定部３−１に入力される。ここではｌ＝２０［秒］、Ｗ＝−２６［ｄＢｏｖ］とするが、この値に限定されるものではない。
【００３２】
信号レベル測定部３−１は、第１の実施の形態と同様に自動利得制御装置１００が入力音声信号Ａを収束させようとする目標信号レベルＸを測定し、測定した目標信号レベルＸを収束時間測定部７およびレベル調節部１３へ通知する。
【００３３】
レベル調節部１３は、音声データベース２から音声信号Ａと同じｌ秒長かつ平均音声信号レベルがＷ［ｄＢｏｖ］の音声信号Ｂを取得し、その音声信号Ｂのレベルを（Ｘ−Ｇ）−Ｗ［ｄＢ］だけ調節する。Ｘ−Ｇ［ｄＢｏｖ］は目標信号レベルＸとの比がＧ［ｄＢ］となるような信号レベルであり、所望の入力音声信号レベルである。レベル調節部１３は、この信号レベルＸ−Ｇ［ｄＢｏｖ］と音声信号Ｂの平均音声信号レベルＷ［ｄＢｏｖ］との差分だけレベルを調節することで、音声信号Ｂの平均音声信号レベルを所望の入力音声信号レベルＸ−Ｇ［ｄＢｏｖ］に調節する。
【００３４】
そして、レベル調節部１３は、自動利得制御装置１００への音声信号Ａの入力が終了次第、スイッチ１２をレベル調節部１３の出力を選択する側に切り換えると共に、スイッチ１０を信号レベル測定部３−３の入力を選択する側に切り換え、レベル調節後の音声信号Ｂ”をスイッチ１２を介して自動利得制御装置１００へ出力する。このときに自動利得制御装置１００から出力される自動利得制御音声信号Ｂ’は、スイッチ１０を介して信号レベル測定部３−３に入力される。
【００３５】
第１の実施の形態と同様に、信号レベル測定部３−３は、自動利得制御音声信号Ｂ’の信号レベルを測定し、収束時間測定部７は、自動利得制御音声信号Ｂ’の収束時間Ｔを測定し、品質測定部８は、レベル比Ｇおよび収束時間Ｔから自動利得制御音声信号Ｂ’の主観品質評価値を推定する。
【００３６】
以上に説明した実施の形態を用いることにより、自動利得制御音声の入力音声信号の信号レベルと目標信号レベルとのレベル比に所望の値を持つような自動利得制御音声を、評価対象の自動利得制御装置の出力として得ることができるとともに、この出力音声に対するユーザ体感品質の推定を短時間かつ簡便に行うことができる。
【００３７】
なお、第１、第２の実施の形態の客観品質評価装置は、ＣＰＵ、記憶装置および外部とのインタフェースを備えたコンピュータとこれらのハードウェア資源を制御するプログラムによって実現することができる。このようなコンピュータにおいて、本発明の客観品質評価方法を実現させるためのプログラムは、フレキシブルディスク、ＣＤ−ＲＯＭ、ＤＶＤ−ＲＯＭ、メモリカードなどの記録媒体に記録された状態で提供される。ＣＰＵは、記録媒体から読み込んだプログラムを記憶装置に書き込み、プログラムに従って第１、第２の実施の形態で説明した処理を実行する。
【産業上の利用可能性】
【００３８】
本発明は、音声品質の評価技術に適用することができる。
【図面の簡単な説明】
【００３９】
【図１】本発明の第１の実施の形態に係る客観品質評価装置の構成を示すブロック図である。
【図２】本発明の第１の実施の形態に係る客観品質評価装置の動作を示すフローチャートである。
【図３】本発明の第２の実施の形態に係る客観品質評価装置の構成を示すブロック図である。
【符号の説明】
【００４０】
１，１１…客観品質評価装置、２…音声データベース、３−１，３−２，３−３…信号レベル測定部、４…マイク、５…音声録音部、６…レベル比算出部、７…収束時間測定部、８…品質測定部、９，１０，１２…スイッチ、１３…レベル調節部。
【図１】
2009124634.tif 000003
【図２】
2009124634.tif 000004
【図３】
2009124634.tif 000005